(57)【要約】      （修正有）【課題】クロマトグラフィ・カラムの十分な封止を実現し、アセンブリが確実に漏れないようにするクロマトグラフィ・カラム・アセンブリを提供する。【解決手段】クロマトグラフィ・カラム１３は、開放端部１８及び内側表面１２を有する管状本体１７を備え、クロマトグラフィ・カラム封止装置５の円筒形本体６は、上端部７と下端部との間で軸線に沿った高さＨを有する。クロマトグラフィ・カラム封止装置５は、クロマトグラフィ分析する流体源に連結する連結ポートを更に備える。円筒形本体６は、クロマトグラフィ・カラム１３の内側表面１２に当接するように適合された外周表面１１を備える。円筒形本体６は、クロマトグラフィ・カラム１３の内側表面１２に、実質的に全体高さＨに沿って当接するように適合された外周表面１１を更に備え、外周表面１１は、クロマトグラフィ・カラム１３の内側表面１２に対して固定されるように適合される。【選択図】図２
0003187642.tif 000002
【実用新案登録請求の範囲】
【請求項１】
クロマトグラフィ・カラム（１３）、及びクロマトグラフィ・カラム封止装置（５）を備えるクロマトグラフィ・カラム・アセンブリであって、前記クロマトグラフィ・カラム（１３）が、開放端部（１８）及び内側表面（１２）を有する管状本体（１７）を備え、前記クロマトグラフィ・カラム封止装置（５）が、上端部（７）及び下端部（８）を有する円筒形本体（６）を備え、前記円筒形本体（６）が、前記本体（６）に沿って延びる主軸線Ａを有し、且つ前記上端部（７）と下端部（８）との間で前記軸線Ａに沿った高さＨを有し、前記クロマトグラフィ・カラム封止装置（５）が、前記クロマトグラフィ・カラム封止装置（５）を、クロマトグラフィ分析する流体源に連結する連結ポート（９）を更に備え、前記連結ポート（９）が、前記円筒形本体（６）の前記上端部（７）から前記下端部（８）へと前記軸線Ａに沿って延在するキャナル（１０）である、クロマトグラフィ・カラム・アセンブリにおいて、前記円筒形本体（６）が、前記クロマトグラフィ・カラム（１３）の前記内側表面（１２）に、実質的に全体高さＨに沿って当接するように適合された外周表面（１１）を備え、前記外周表面（１１）が、前記クロマトグラフィ・カラム（１３）の前記内側表面（１２）に対して固定されるように適合されることを特徴とする、クロマトグラフィ・カラム・アセンブリ。
【請求項２】
前記外周表面（１１）が、摩擦によって前記内側表面（１２）に対して固定されるように適合される、請求項１に記載のクロマトグラフィ・カラム・アセンブリ。
【請求項３】
前記外周表面（１１）が、溶接部（２２）によって前記内側表面（１２）に対して固定されるように適合される、請求項１に記載のクロマトグラフィ・カラム・アセンブリ。
【請求項４】
前記外周表面（１１）が、摩擦及び溶接部（２２）によって前記内側表面（１２）に対して固定されるように適合される、請求項１に記載のクロマトグラフィ・カラム・アセンブリ。
【請求項５】
前記溶接部（２２）が、融接によって、好ましくはレーザー溶接によって作製される、請求項３又は４に記載のクロマトグラフィ・カラム・アセンブリ。
【請求項６】
前記溶接部（２２）が、前記円筒形本体（６）の実質的に全周に延在する、請求項３から５までのいずれかに記載のクロマトグラフィ・カラム・アセンブリ。
【請求項７】
前記溶接部（２２）が、スポット溶接である、請求項３から６までのいずれかに記載のクロマトグラフィ・カラム・アセンブリ。
【請求項８】
前記クロマトグラフィ・カラム封止装置（５）が、クロマトグラフィ・カラム１３とねじ山なしで係合するように適合される、請求項１から７までのいずれかに記載のクロマトグラフィ・カラム・アセンブリ。
【請求項９】
前記円筒形本体（６）の外径Ｄが、前記クロマトグラフィ・カラム（１３）の内径ｄに適合される、請求項１から８までのいずれかに記載のクロマトグラフィ・カラム・アセンブリ。
【請求項１０】
前記円筒形本体（６）が、弾性材料から作製される、請求項１から９までのいずれかに記載のクロマトグラフィ・カラム・アセンブリ。
【請求項１１】
前記円筒形本体（６）の前記外径Ｄが、前記クロマトグラフィ・カラム（１３）の前記内径ｄよりも僅かに大きい、請求項９に記載のクロマトグラフィ・カラム・アセンブリ。
【請求項１２】
前記円筒形本体（６）が、挿入される際に、前記円筒形本体（６）を案内する案内手段（１４）を備える、請求項１から１１までのいずれかに記載のクロマトグラフィ・カラム・アセンブリ。
【請求項１３】
前記案内手段（１４）が、前記円筒形本体（６）の前記下端部（８）に設けられた面取部である、請求項１２に記載のクロマトグラフィ・カラム・アセンブリ。
【請求項１４】
前記円筒形本体（６）が、ポリプロピレン等のプラスチックから作製される、請求項１から１３までのいずれかに記載のクロマトグラフィ・カラム・アセンブリ。
【請求項１５】
前記円筒形本体（６）の前記外径Ｄが、約２０〜２２ｍｍ、好ましくは２０．８ｍｍである、請求項９から１４までのいずれかに記載のクロマトグラフィ・カラム・アセンブリ。
【請求項１６】
前記連結ポート（９）が、前記円筒形本体（６）の前記上端部（７）から前記軸線Ａに沿って突出した円筒形連結部（１５）に配置される、請求項１から１５までのいずれかに記載のクロマトグラフィ・カラム・アセンブリ。
【請求項１７】
前記連結ポート（９）が、「ルアー・ロック」連結部を備える、請求項１から１６までのいずれかに記載のクロマトグラフィ・カラム・アセンブリ。
【請求項１８】
請求項１から１７までのいずれかに記載のクロマトグラフィ・カラム・アセンブリの製造方法であって、
−  クロマトグラフィ・カラム（１３）を設けるステップと、
−  外周表面（１１）が前記クロマトグラフィ・カラム（１３）の内側表面（１２）に当接するように、前記クロマトグラフィ・カラム封止装置（５）を配置するステップと
を含む、方法。
【請求項１９】
−  前記クロマトグラフィ・カラム（１３）にクロマトグラフィ媒体を充填するステップを更に含み、前記充填が、外周表面（１１）が前記クロマトグラフィ・カラム（１３）の内側表面（１２）に当接するように、前記クロマトグラフィ・カラム封止装置（５）を配置するステップの前に実施される、請求項１８に記載のクロマトグラフィ・カラム・アセンブリの製造方法。
【請求項２０】
−  前記外周表面（１１）が前記内側表面（１２）に当接する領域に溶接部（２２）を設けるステップを更に含む、請求項１８又は１９に記載のクロマトグラフィ・カラム・アセンブリの製造方法。
【考案の詳細な説明】
【技術分野】
【０００１】
本考案は、独立請求項のプリアンブルに記載のクロマトグラフィ・カラム・アセンブリ、及び前記クロマトグラフィ・カラム・アセンブリの製造方法に関する。
【背景技術】
【０００２】
化合物の混合物から個々の化合物を精製するために、クロマトグラフィ・カラムを使用することができる。伝統的なクロマトグラフィ・カラムは、直径が５ｍｍから５０ｍｍ、高さが５０ｃｍから１ｍの金属、ガラス、又はプラスチックのチューブであり、底部にはタップがある。
【０００３】
従来技術によるクロマトグラフィ・カラムの例が、米国特許出願公開第２００８０２１７２５０（Ａ１）号に開示されている。
【０００４】
米国特許出願公開第２００５００８２２１３（Ａ１）号には、クロマトグラフィ・カラムの更なる例が開示されている。このクロマトグラフィ・カラムは、クロマトグラフィ・カラムの開放端部内で受けられるように適合されたプラグを備える。
【０００５】
米国特許出願公開第２００７０１７５８０９（Ａ１）号は、３つの部品、すなわち一体型出口ポートが一端に成型されたカラム本体と、入口ポートを有する封止インサートと、封止インサートをカラム本体内に押し込む下向きの力を供給する有孔キャップとから成るクロマトグラフィ・カラムを開示している。
【０００６】
クロマトグラフィ・カラムは、一般に、カラムの頂部を封止するキャップを備える。今日、使用されているキャップには、クロマトグラフィ・カラムに設けられたねじ山と螺合するように適合されたねじ山が、そのキャップに設けられていることが多い。かかる既知のクロマトグラフィ・カラム、及びキャップに伴う問題は、カラムを十分封止するのが困難となり得ることである。更に、ねじ山を備えたキャップを使用すると、クロマトグラフィ・カラムを閉じるのに比較的時間がかかる。
【０００７】
したがって、カラムと封止装置との間の封止の改善が実現され、且つ封止装置がクロマトグラフィ・カラムに完全に取り付けられることが確実になる、クロマトグラフィ・カラム、及び関連する封止装置が求められている。
【先行技術文献】
【特許文献】
【０００８】
【特許文献１】米国特許出願公開第２００８０２１７２５０（Ａ１）号
【特許文献２】米国特許出願公開第２００５００８２２１３（Ａ１）号
【特許文献３】米国特許出願公開第２００７０１７５８０９（Ａ１）号
【考案の概要】
【考案が解決しようとする課題】
【０００９】
したがって、本考案の目的は、クロマトグラフィ・カラムの十分な封止を実現し、そのアセンブリが確実に漏れないようにするクロマトグラフィ・カラム・アセンブリを提供することである。
【００１０】
本考案の更なる目的は、封止装置の取付けが改善されたクロマトグラフィ・カラム・アセンブリを提供することである。
【００１１】
本考案の更なる目的は、更に製造に費用がかからず、使いやすい使い捨ての封止装置、及びクロマトグラフィ・カラムを提供することである。
【課題を解決するための手段】
【００１２】
上述の目的は、独立請求項に記載の本考案によって達成される。
【００１３】
好ましい実施形態が、従属請求項に記載されている。
【００１４】
本考案によるクロマトグラフィ・カラム・アセンブリは、クロマトグラフィ・カラム、及びクロマトグラフィ・カラム封止装置を備え、前記クロマトグラフィ・カラムは、開放端部及び内側表面を有する管状本体を備え、クロマトグラフィ・カラム封止装置は、上端部及び下端部を有する円筒形本体を備え、円筒形本体は、前記本体に沿って延びる主軸線Ａを有し、且つ前記上端部と下端部との間で前記軸線Ａに沿った高さＨを有する。このクロマトグラフィ・カラム封止装置は、前記クロマトグラフィ・カラム封止装置を、クロマトグラフィ分析する流体源に連結する連結ポートを更に備える。この連結ポートは、前記円筒形本体の前記上端部から前記下端部へと前記軸線Ａに沿って延在するキャナルであり、前記円筒形本体は、クロマトグラフィ・カラムの内側表面に、実質的に全体高さＨに沿って当接するように適合された外周表面を備える。この外周表面は、前記クロマトグラフィ・カラムの前記内側表面に対して固定されるように適合されている。一態様によれば、外周表面は、摩擦によって前記内側表面に対して固定される。別の態様によれば、外周表面は、溶接部によって前記内側表面に対して固定される。更なる態様によれば、外周表面は、摩擦及び溶接部によって前記内側表面に対して固定される。
【００１５】
したがって、本考案によるクロマトグラフィ・カラム・アセンブリを提供することによって、クロマトグラフィ・カラムとクロマトグラフィ・カラム封止装置との間の封止の改善が実現される。一態様によれば、クロマトグラフィ・カラムは、カラム封止装置、及びカラム本体にねじ山が必要でなく、摩擦によって封止され、溶接部によって、クロマトグラフィ・カラム封止装置が、クロマトグラフィ・カラムに完全に取り付けられることが確実になる。
【００１６】
更なる態様によれば、本考案は、クロマトグラフィ・カラム・アセンブリの製造方法に関する。本方法は、
−  クロマトグラフィ・カラムを設けるステップと、
−  外周表面がクロマトグラフィ・カラムの内側表面に当接するように、クロマトグラフィ・カラム封止装置を配置するステップと
を含む。
【００１７】
別の態様によれば、本方法は、外周表面が内側表面に当接する領域に溶接部を設けるステップを更に含む。
【図面の簡単な説明】
【００１８】
【図１】従来技術による使い捨てシリンジ・バレルを示す図である。
【図２】本考案によるクロマトグラフィ・カラム・アセンブリを示す図である。
【図３】本考案によるクロマトグラフィ・カラム・アセンブリのクロマトグラフィ・カラム封止装置の側面図である。
【図４】図３に示すクロマトグラフィ・カラム封止装置のＡ−Ａに沿った断面図である。
【図５ａ】本考案の一実施形態によるクロマトグラフィ・カラム・アセンブリのクロマトグラフィ・カラム封止装置の上面図である。
【図５ｂ】本考案の別の実施形態によるクロマトグラフィ・カラム・アセンブリのクロマトグラフィ・カラム封止装置の立面図である。
【図６】本考案によるクロマトグラフィ・カラム・アセンブリの開口状態を示す図である。
【図７】本考案の一実施形態によるクロマトグラフィ・カラム・アセンブリを示す図である。
【考案を実施するための形態】
【００１９】
次に、添付の図面を参照しながら、本考案を詳細に説明する。
【００２０】
図１には、従来の設計による使い捨てシリンジ１が示されている。図１に示すこの使い捨てシリンジ・バレル１は、上側開口部３及び下側開口部４を備えたチューブ２を備える。この種の使い捨てシリンジ・バレルが、本考案のクロマトグラフィ・カラムとして使用される。
【００２１】
図２は、クロマトグラフィ・カラム１３、及びクロマトグラフィ・カラム封止装置５を備える、本考案によるクロマトグラフィ・カラム・アセンブリを示す。クロマトグラフィ・カラム１３は、開放端部１８及び内側表面１２を有する管状本体１７を備える。クロマトグラフィ・カラム封止装置５の円筒形本体６は、クロマトグラフィ・カラム１３の内側表面１２に、実質的に全体高さＨに沿って当接するように適合された外周表面１１を備える。外周表面１１は、クロマトグラフィ・カラム１３の内側表面１２に対して固定されるように適合されている。一実施形態では、外周表面１１は、摩擦によって内側表面１２に対して固定されるように適合されている。別の実施形態では、外周表面１１は、溶接部２２によって内側表面１２に対して固定されるように適合されている。別の実施形態によれば、外周表面１１は、摩擦及び溶接部２２によって内側表面１２に対して固定されるように適合されている。
【００２２】
図２では、溶接部２２が、クロマトグラフィ・カラム１３の上縁部２３に隣接して設けられ、この溶接部２２は、円筒形本体６の外周周りに延在し、それによって円筒形本体６がクロマトグラフィ・カラム１３に接合されている。しかし、溶接部２２は、外周表面１１の他の適切ないかなる位置に設けることもできる。溶接部２２は、円筒形本体６の上端部７の近傍に、又はそこに隣接して設けてもよい。別の実施形態によれば、溶接部２２は、円筒形本体６の実質的に全体高さＨを被覆し、且つ円筒形本体６の外周周りに延在し、それによって外周表面１１がクロマトグラフィ・カラム１３の内側表面１２に取り付けられている。別の実施形態では、溶接部２２は、円筒形本体６の外周周りで互いに隣接して延在し、且つ高さＨに沿って間隔を置いて配置された複数の溶接部を備える。
【００２３】
一実施形態によれば、溶接部２２はレーザー溶接によって作製される。しかし、溶接部を設けるために、任意の種類の融接又は摩擦溶接等、他の適切ないかなる溶接技術も使用することができる。溶接部２２は、円筒形本体６の実質的に全周に延在する、外周上で連続した溶接部でもよく、円筒形本体６の周りで部分的に延在してもよく、又は、スポット溶接でもよい。スポット溶接の実施形態では、アセンブリがそこで溶接される、外周表面１１のスポット数は、約２〜１００ヶ所でよい。
【００２４】
図３には、本考案によるクロマトグラフィ・カラム・アセンブリのクロマトグラフィ・カラム封止装置５が示されている。このクロマトグラフィ・カラム封止装置５は、上端部７及び下端部８を備えた円筒形本体６を備え、円筒形本体６は、その本体６に沿って延びる主軸線Ａを有し、且つ上端部７と下端部８との間で軸線Ａに沿った高さＨを有する。このクロマトグラフィ・カラム封止装置５は、クロマトグラフィ・カラム封止装置５を、クロマトグラフィ分析する流体源（図示せず）に連結する連結ポート９を更に備える。
【００２５】
図３に示す一実施形態では、円筒形本体６は、クロマトグラフィ・カラム１３内に挿入される際に円筒形本体６を案内する案内手段１４を備える。図３に示すように、案内手段１４は、円筒形本体の下端部８に設けられた面取部である。この面取部によって、クロマトグラフィ・カラム封止装置５をクロマトグラフィ・カラム１３内に挿入しやすくなる。
【００２６】
好ましい実施形態によれば、連結ポート９は、図４に示すように、円筒形本体６の上端部７から軸線Ａに沿って突出した円筒形連結部１５の中に配置されている。連結ポート９は、好ましくは、クロマトグラフィ・カラム装置５をクロマトグラフィ機器に連結する「ルアー・ロック」連結部１６を備える。
【００２７】
図４は、更に、連結ポート９が、円筒形本体６の上端部７から下端部８へと軸線Ａに沿って延在するキャナル１０であることを示している。更に、円筒形本体６は、図２及び図６に示すように、クロマトグラフィ・カラム１３の内側表面１２に当接するように適合された外周表面１１を備える。円筒形本体６の外周表面１１は、摩擦及び溶接部２２によって、クロマトグラフィ・カラム１３の内側表面１２と係合するように適合されている。
【００２８】
一実施形態では、円筒形本体６の外周表面１１は、摩擦及び溶接部２２によって、クロマトグラフィ・カラム１３の内側表面１２と、円筒形本体６の実質的に全体高さＨに沿って係合するように適合されている。
【００２９】
図に開示したように、クロマトグラフィ・カラム封止装置５は、クロマトグラフィ・カラム１３とのねじ連結を実現するねじ山を備えず、すなわち、このクロマトグラフィ・カラム封止装置５は、クロマトグラフィ・カラム１３とねじ山なしで連結するように適合されている。
【００３０】
図５ａに示す本考案の好ましい実施形態によれば、円筒形本体６は、円形断面を有する。しかし、円筒形本体６は、楕円形、三角形、又は正方形の断面等、クロマトグラフィ・カラム１３の断面に対応した他の断面を有してもよい。図５ａに更に示すように、クロマトグラフィ・カラム装置５の円筒形本体６は、部分的に中空であり、ここでは外周表面１１が、外周壁２０の外側に配置されている。更に、円筒形連結部１５は、円筒形連結部１５の下側部分と、外周壁２０の内側表面２１との間に延在する複数の支持手段１９を備える。図５ａでは、クロマトグラフィ・カラム装置５は、４本の支持手段１９を備えるが、支持手段１９の本数は、クロマトグラフィ・カラム装置５の寸法に依存して異なってもよい。図５ｂには、クロマトグラフィ・カラム装置５の別の実施形態が示され、ここでは支持手段１９の本数は１２本である。
【００３１】
本考案の好ましい実施形態によれば、円筒形本体５の外径Ｄは、図６に示すように、クロマトグラフィ・カラム１３の内径ｄに適合されている。
【００３２】
円筒形本体６は、好ましくはプラスチック等の弾性材料から作製される。好ましい実施形態では、円筒形本体６は、ポリプロピレンから作製される。しかし、ゴム、又は他の可撓性材料等、適切な他の材料を使用してもよい。一実施形態によれば、クロマトグラフィ・カラム１３及び円筒形本体６の材料は、「溶接可能」でなければならず、すなわち、これらの材料は、溶接によって接合するのに適するように選択しなければならない。
【００３３】
本考案の更なる実施形態では、円筒形本体６の外径Ｄは、クロマトグラフィ・カラム１３の内径ｄよりも僅かに大きくなるように適合されている。この実施形態によれば、クロマトグラフィ・カラム封止装置５がクロマトグラフィ・カラム１３内に挿入されると、円筒形本体６は、ともに僅かに圧搾される。
【００３４】
本考案によれば、クロマトグラフィ・カラム封止装置５は、クロマトグラフィ・カラムの壁厚に依存して、約１４バール以上の圧力にまで耐えることが可能である。
【００３５】
一実施形態では、クロマトグラフィ・カラム１３は、プラスチック・チューブ、好ましくは使い捨てシリンジである。しかし、クロマトグラフィ・カラム１３は、適切な他の材料から作製してもよい。
【００３６】
図６は、クロマトグラフィ・カラム封止装置５をクロマトグラフィ・カラム１３内に導入し、クロマトグラフィ・カラム封止装置５を、摩擦によって、溶接によって、又は摩擦及び溶接部によってクロマトグラフィ・カラムに取り付ける前の、クロマトグラフィ・カラム・アセンブリの開口状態を示す。
【００３７】
クロマトグラフィ・カラム・アセンブリを使用できる状態にするには、クロマトグラフィ・カラム１３にクロマトグラフィ媒体を充填し、クロマトグラフィ・カラム封止装置５を管状本体１７の開放端部１８から挿入し、クロマトグラフィ・カラム１３の上部に配置する。その後、一実施形態によれば、クロマトグラフィ・カラム封止装置５は、溶接によってクロマトグラフィ・カラム１３に対して固定される。上記で論じたように、クロマトグラフィ・カラム１３と、クロマトグラフィ・カラム封止装置５とは、レーザー溶接によって接合することができ、その場合、溶接部２２は、外周表面１１が前記クロマトグラフィ・カラム１３の内側表面１２に当接する領域に向けてレーザービームを集光させることによって実現され、したがって、そのビームによって材料が固体から液体に変化し、その後レーザービームを除去すると、再度固体に戻ることになる。
【００３８】
したがって、更なる態様によれば、本考案は、クロマトグラフィ・カラム・アセンブリの製造方法に関する。本方法は、
−  クロマトグラフィ・カラム１３を設けるステップと、
−  外周表面１１がクロマトグラフィ・カラム１３の内側表面１２に当接するように、クロマトグラフィ・カラム封止装置５を配置するステップと
を含む。
【００３９】
一実施形態では、本方法は、クロマトグラフィ・カラム１３にクロマトグラフィ媒体を充填するステップを更に含む。この充填は、外周表面１１が前記クロマトグラフィ・カラム１３の内側表面１２に当接するように、前記クロマトグラフィ・カラム封止装置５を配置するステップの前に実施される。
【００４０】
別の実施形態によれば、本方法は、外周表面１１が内側表面１２に当接する領域に溶接部２２を設けるステップを更に含む。
【００４１】
好ましくは、クロマトグラフィ・カラム・アセンブリに、クロマトグラフィ媒体を予め充填しておく。使用時に、クロマトグラフィ媒体源を、連結ポート９に連結する。クロマトグラフィ媒体が下側開口部４を介してカラムから流出するのを防止するために、クロマトグラフィ・カラム１３内にフリットを導入し、カラムの底端部に配置することができる。また、フリットは、クロマトグラフィ媒体とクロマトグラフィ・カラム封止装置５との間に導入してもよい。次いで、所定のプロトコルに従ってクロマトグラフィを実施し、その後、クロマトグラフィ・カラム１３を廃棄することができる。
【００４２】
本考案の好ましい実施形態によれば、円筒形本体６の外径Ｄは、約２０〜２２ｍｍ、好ましくは２０．８ｍｍである。しかし、５〜４００ｍｍの範囲の直径が可能である。クロマトグラフィ・カラム１３の長さＬは、２０〜５００ｍｍの範囲でよい。しかし、他の長さＬのクロマトグラフィ・カラム１３も可能である。クロマトグラフィ・カラム１３の壁厚は、約０．１〜１０ｍｍ、好ましくは２．５ｍｍでよい。
【００４３】
一実施形態では、図７に示すように、円筒形本体６の外径Ｄは、約４７．５ｍｍであり、クロマトグラフィ・カラム１３の長さＬは、約２１５ｍｍである。別の実施形態では、円筒形本体６の外径Ｄは、約３８．２ｍｍであり、クロマトグラフィ・カラム１３の長さＬは、約１５１ｍｍである。更に別の実施形態によれば、円筒形本体６の外径Ｄは、約３２．４ｍｍであり、クロマトグラフィ・カラム１３の長さＬは、約９９ｍｍである。更なる実施形態では、円筒形本体６の外径Ｄは、約２７．２５ｍｍであり、クロマトグラフィ・カラム１３の長さＬは、約９０ｍｍである。
【００４４】
本考案は、上述の好ましい実施形態に限定されるものではない。様々な代替例、改変例、及び均等物を使用することができる。したがって、上述の実施形態は、本考案の範囲を限定するものとして解釈すべきではなく、本考案の範囲は、添付の実用新案登録請求の範囲によって規定される。
【図１】
0003187642.tif 000003
【図２】
0003187642.tif 000004
【図３】
0003187642.tif 000005
【図４】
0003187642.tif 000006
【図５ａ】
0003187642.tif 000007
【図５ｂ】
0003187642.tif 000008
【図６】
0003187642.tif 000009
【図７】
0003187642.tif 000010
【手続補正書】
【提出日】平成25年7月2日(2013.7.2)
【手続補正１】
【補正対象書類名】実用新案登録請求の範囲
【補正対象項目名】全文
【補正方法】変更
【補正の内容】
【実用新案登録請求の範囲】
【請求項１】
クロマトグラフィ・カラム（１３）、及びクロマトグラフィ・カラム封止装置（５）を備えるクロマトグラフィ・カラム・アセンブリであって、前記クロマトグラフィ・カラム（１３）が、開放端部（１８）及び内側表面（１２）を有する管状本体（１７）を備え、前記クロマトグラフィ・カラム封止装置（５）が、上端部（７）及び下端部（８）を有する円筒形本体（６）を備え、前記円筒形本体（６）が、前記本体（６）に沿って延びる主軸線Ａを有し、且つ前記上端部（７）と下端部（８）との間で前記軸線Ａに沿った高さＨを有し、前記クロマトグラフィ・カラム封止装置（５）が、前記クロマトグラフィ・カラム封止装置（５）を、クロマトグラフィ分析する流体源に連結する連結ポート（９）を更に備え、前記連結ポート（９）が、前記円筒形本体（６）の前記上端部（７）から前記下端部（８）へと前記軸線Ａに沿って延在するキャナル（１０）である、クロマトグラフィ・カラム・アセンブリにおいて、前記円筒形本体（６）が、前記クロマトグラフィ・カラム（１３）の前記内側表面（１２）に、実質的に全体高さＨに沿って当接するように適合された外周表面（１１）を備え、前記外周表面（１１）が、前記クロマトグラフィ・カラム（１３）の前記内側表面（１２）に対して固定されるように適合されることを特徴とする、クロマトグラフィ・カラム・アセンブリ。
【請求項２】
前記外周表面（１１）が、摩擦によって前記内側表面（１２）に対して固定されるように適合される、請求項１に記載のクロマトグラフィ・カラム・アセンブリ。
【請求項３】
前記外周表面（１１）が、溶接部（２２）によって前記内側表面（１２）に対して固定されるように適合される、請求項１に記載のクロマトグラフィ・カラム・アセンブリ。
【請求項４】
前記外周表面（１１）が、摩擦及び溶接部（２２）によって前記内側表面（１２）に対して固定されるように適合される、請求項１に記載のクロマトグラフィ・カラム・アセンブリ。
【請求項５】
前記溶接部（２２）が、融接によって、好ましくはレーザー溶接によって作製される、請求項３又は４に記載のクロマトグラフィ・カラム・アセンブリ。
【請求項６】
前記溶接部（２２）が、前記円筒形本体（６）の実質的に全周に延在する、請求項３から５までのいずれかに記載のクロマトグラフィ・カラム・アセンブリ。
【請求項７】
前記溶接部（２２）が、スポット溶接である、請求項３から６までのいずれかに記載のクロマトグラフィ・カラム・アセンブリ。
【請求項８】
前記クロマトグラフィ・カラム封止装置（５）が、クロマトグラフィ・カラム１３とねじ山なしで係合するように適合される、請求項１から７までのいずれかに記載のクロマトグラフィ・カラム・アセンブリ。
【請求項９】
前記円筒形本体（６）の外径Ｄが、前記クロマトグラフィ・カラム（１３）の内径ｄに適合される、請求項１から８までのいずれかに記載のクロマトグラフィ・カラム・アセンブリ。
【請求項１０】
前記円筒形本体（６）が、弾性材料から作製される、請求項１から９までのいずれかに記載のクロマトグラフィ・カラム・アセンブリ。
【請求項１１】
前記円筒形本体（６）の前記外径Ｄが、前記クロマトグラフィ・カラム（１３）の前記内径ｄよりも僅かに大きい、請求項９に記載のクロマトグラフィ・カラム・アセンブリ。
【請求項１２】
前記円筒形本体（６）が、挿入される際に、前記円筒形本体（６）を案内する案内手段（１４）を備える、請求項１から１１までのいずれかに記載のクロマトグラフィ・カラム・アセンブリ。
【請求項１３】
前記案内手段（１４）が、前記円筒形本体（６）の前記下端部（８）に設けられた面取部である、請求項１２に記載のクロマトグラフィ・カラム・アセンブリ。
【請求項１４】
前記円筒形本体（６）が、ポリプロピレン等のプラスチックから作製される、請求項１から１３までのいずれかに記載のクロマトグラフィ・カラム・アセンブリ。
【請求項１５】
前記円筒形本体（６）の前記外径Ｄが、約２０〜２２ｍｍ、好ましくは２０．８ｍｍである、請求項９から１４までのいずれかに記載のクロマトグラフィ・カラム・アセンブリ。
【請求項１６】
前記連結ポート（９）が、前記円筒形本体（６）の前記上端部（７）から前記軸線Ａに沿って突出した円筒形連結部（１５）に配置される、請求項１から１５までのいずれかに記載のクロマトグラフィ・カラム・アセンブリ。
【請求項１７】
前記連結ポート（９）が、「ルアー・ロック」連結部を備える、請求項１から１６までのいずれかに記載のクロマトグラフィ・カラム・アセンブリ。